(57)【要約】【課題】取り付け完了状態において天井面または壁面の美観を向上させること。【解決手段】内装パネルの固定構造（１）は、下地部材（１０）と、表面側から打ち込まれた締結部材（５）によって下地部材に固定された内装パネル（２）とを備える。内装パネル（２）は、表面に凸部（２１）および複数の凹部（２２）を有している。複数の凹部（２２）は、底部表面に化粧材（４）が予め貼り付けられた第１の凹部（２２ａ）と、その底部を締結部材（５）が貫通する第２の凹部（２２ｂ）とを含み、第２の凹部（２２ｂ）の底部表面には、締結部材（５）の頭部を被覆した状態で化粧材（４）が貼り付けられている。【選択図】図２
2019065465.tif 000002
【特許請求の範囲】
【請求項１】
建物の天井または壁用の内装パネルの固定構造であって、
下地部材と、
表面に凸部および複数の凹部を有し、表面側から打ち込まれた締結部材によって前記下地部材に固定された内装パネルとを備え、
前記複数の凹部は、底部表面に化粧材が予め貼り付けられた第１の凹部と、その底部を前記締結部材が貫通する第２の凹部とを含み、
前記第２の凹部の底部表面には、前記締結部材の頭部を被覆した状態で化粧材が貼り付けられている、内装パネルの固定構造。
【請求項２】
前記内装パネルは、平面視において略矩形形状の基材を備え、
前記凸部は、前記基材の表面に互いに間隔をあけて固定された複数の棒状部材により構成され、
前記凹部の底部表面は、隣り合う前記棒状部材間に露出する、前記基材の表面により構成されている、請求項１に記載の内装パネルの固定構造。
【請求項３】
前記複数の棒状部材が等間隔で配置されており、
前記複数の凹部の底部表面に貼り付けられた化粧材の幅は、互いに等しい、請求項２に記載の内装パネルの固定構造。
【請求項４】
前記複数の棒状部材のうち一方側の端部に位置する第１の棒状部材の一部が、前記基材から外側に食み出して位置し、かつ、前記複数の棒状部材のうち他方側の端部に位置する第２の棒状部材が、前記基材の端縁よりも内側に離れて位置しており、
前記基材のうち前記第２の棒状部材よりも外側に位置する端部分の幅は、前記複数の棒状部材間の間隔よりも大きい、請求項３に記載の内装パネルの固定構造。
【請求項５】
前記基材の前記端部分の表面には、前記第２の棒状部材に接するように、前記凹部の底部表面に貼り付けられた化粧材と同じ幅の化粧材が貼り付けられ、
前記第１の棒状部材の前記基材からの食み出し長さは、前記基材の前記端部分のうち前記化粧材よりも外側に突出した突出部の幅と略等しい、請求項４に記載の内装パネルの固定構造。
【請求項６】
前記基材の端部分のうちの前記突出部の幅は、前記第１の棒状部材の前記基材からの食み出し長さ以下である、請求項５に記載の内装パネルの固定構造。
【請求項７】
前記基材の端部分のうちの前記突出部には、締結部材が貫通されている、請求項５または６に記載の内装パネルの固定構造。
【請求項８】
建物の天井または壁用の内装パネルであって、
表面に設けられた凸部と、
表面において前記凸部に隣接して設けられた複数の凹部と備え、
前記複数の凹部は、底部表面に化粧材が貼り付けられた第１の凹部と、取り付け状態においてその底部に締結部材が貫通される凹部であって、底部表面に化粧材が貼り付けられていない第２の凹部とを含む、内装パネル。
【請求項９】
建物の天井または壁用の内装パネルの取り付け方法であって、
表面に凸部および複数の凹部を有し、前記複数の凹部が、底部表面に化粧材が貼り付けられた第１の凹部と、底部表面に化粧材が貼り付けられていない第２の凹部とを含む、内装パネルを準備する工程と、
前記内装パネルの前記第２の凹部の底部に、表面側から締結部材を貫通させて、前記内装パネルを下地部材に固定する工程と、
前記第２の凹部の底部表面に、前記締結部材の頭部を被覆するように化粧材を貼り付ける工程とを備える、内装パネルの取り付け方法。
【発明の詳細な説明】
【技術分野】
【０００１】
本発明は、住宅などの建物の天井または壁用の内装パネル、内装パネルの固定構造および取り付け方法に関する。
【背景技術】
【０００２】
一般的な住宅の天井面はフラット状であるが、部屋の印象が短調となることを防ぐため、天井面に凹凸（リブ）を設ける技術が従来から提案されている。
【０００３】
たとえば、“リブ天井  突板仕様”，［online］，片桐銘木工業株式会社，［２０１７年９月２２日検索］，インターネット＜URL：https://www.katagiri-meimoku.net/取り扱い品目/洋室内装材/リブ天井-1/＞（非特許文献１）では、木材を加工することにより一方向に凹凸が繰り返し形成されたリブパネルが開示されている。
【先行技術文献】
【非特許文献】
【０００４】
【非特許文献１】“リブ天井  突板仕様”，［online］，片桐銘木工業株式会社，［２０１７年９月２２日検索］，インターネット＜URL：https://www.katagiri-meimoku.net/取り扱い品目/洋室内装材/リブ天井-1/＞
【発明の概要】
【発明が解決しようとする課題】
【０００５】
非特許文献１のようなリブパネルを天井パネルとして用いる場合、リブパネルは、室内側から打ち込まれたビス等の締結部材によって天井下地材に固定される。この場合、締結部材の頭部が室内に露出するため、天井面の美観が低下するという問題がある。リブパネルを壁パネルとして用いる場合も同様である。
【０００６】
本発明は、上記のような課題を解決するためになされたものであって、その目的は、取り付け完了状態において天井面または壁面の美観を向上させることのできる内装パネル、内装パネルの固定構造および取り付け方法を提供することである。
【課題を解決するための手段】
【０００７】
この発明のある局面に従う内装パネルの固定構造は、建物の天井または壁用の内装パネルの固定構造であって、下地部材と、表面側から打ち込まれた締結部材によって下地部材に固定された内装パネルとを備える。内装パネルは、表面に凸部および複数の凹部を有している。複数の凹部は、底部表面に化粧材が予め貼り付けられた第１の凹部と、その底部を締結部材が貫通する第２の凹部とを含み、第２の凹部の底部表面には、締結部材の頭部を被覆した状態で化粧材が貼り付けられている。
【０００８】
好ましくは、内装パネルの固定構造は、内装パネルは、平面視において略矩形形状の基材を備える。この場合、凸部は、基材の表面に互いに間隔をあけて固定された複数の棒状部材により構成され、凹部の底部表面は、隣り合う棒状部材間に露出する、基材の表面の一部により構成されている。
【０００９】
好ましくは、複数の棒状部材が等間隔で配置されており、複数の凹部（第１の凹部および第２の凹部）の底部表面に貼り付けられた化粧材の幅は、互いに等しい。
【００１０】
好ましくは、複数の棒状部材のうち一方側の端部に位置する第１の棒状部材は、基材から外側に食み出して位置し、かつ、複数の棒状部材のうち他方側の端部に位置する第２の棒状部材は、基材の端縁よりも内側に離れて位置している。この場合、基材のうち第２の棒状部材よりも外側に位置する端部分の幅は、複数の棒状部材間の間隔よりも大きいことが望ましい。
【００１１】
好ましくは、基材の端部分の表面には、第２の棒状部材に接するように、凹部の底部表面に貼り付けられた化粧材と同じ幅の化粧材が貼り付けられる。この場合、第１の棒状部材の基材からの食み出し長さは、基材の端部分のうち化粧材よりも外側に突出した突出部の幅と略等しいことが望ましい。
【００１２】
基材の端部分のうちの突出部の幅は、第１の棒状部材の基材からの食み出し長さ以下であることがより望ましい。
【００１３】
好ましくは、基材の端部分のうちの突出部には、締結部材が貫通されている。
【００１４】
この発明の他の局面に従う内装パネルは、建物の天井または壁用の内装パネルであって、表面に設けられた凸部と、表面において凸部に隣接して設けられた複数の凹部と備える。複数の凹部は、底部表面に化粧材が貼り付けられた第１の凹部と、取り付け状態においてその底部に締結部材が貫通される凹部であって、底部表面に化粧材が貼り付けられていない第２の凹部とを含む。
【００１５】
この発明のさらに他の局面に従う内装パネルの取り付け方法は、建物の天井または壁用の内装パネルの取り付け方法であって、表面に凸部および複数の凹部を有し、複数の凹部が、底部表面に化粧材が貼り付けられた第１の凹部と、底部表面に化粧材が貼り付けられていない第２の凹部とを含む、内装パネルを準備する工程と、内装パネルの第２の凹部の底部に、表面側から締結部材を貫通させて、内装パネルを下地部材に固定する工程と、第２の凹部の底部表面に、締結部材の頭部を被覆するように化粧材を貼り付ける工程とを備える。
【発明の効果】
【００１６】
本発明によれば、内装パネルを天井または壁の下地部材に取り付けた状態（取り付け完了状態）において、天井面または壁面の美観を向上させることができる。
【図面の簡単な説明】
【００１７】
【図１】本発明の実施の形態に係る内装パネルの取り付け完了状態を模式的に示す外観図である。
【図２】本発明の実施の形態に係る内装パネルの固定構造を模式的に示す断面図である。
【図３】本発明の実施の形態に係る内装パネルを模式的に示す平面図である。
【図４】本発明の実施の形態に係る内装パネルを模式的に示す断面図である。
【図５】本発明の実施の形態に係る内装パネルの取り付け方法を示すフローチャートである。
【図６】図６のフローチャートの工程Ｐ２を模式的に示す断面図である。
【図７】図６のフローチャートの工程Ｐ２を模式的に示す断面図である。
【図８】図６のフローチャートの工程Ｐ２を模式的に示す断面図である。
【図９】図６のフローチャートの工程Ｐ３を模式的に示す断面図である。
【図１０】本発明の実施の形態の変形例に係る内装パネルを模式的に示す断面図である。
【発明を実施するための形態】
【００１８】
本発明の実施の形態について図面を参照しながら詳細に説明する。なお、図中同一または相当部分には同一符号を付してその説明は繰返さない。
【００１９】
（内装パネルの固定構造の概要について）
本実施の形態では、図１に示されるように、住宅内の部屋９の天井９１に、内装パネルが取り付けられる例について説明する。つまり、本実施の形態においては、内装パネルが天井パネルとして用いられる例について説明する。図２には、内装パネルの固定構造１が模式的に示されている。
【００２０】
図２に示されるように、内装パネルの固定構造１は、天井の下地部材１０と、表面側（室内空間側）から打ち込まれた締結部材５によって下地部材１０に固定された内装パネル２とを備えている。締結部材５は、ビス、釘、ネジなどを含む。
【００２１】
内装パネル２は、板状に形成された基材３１と、基材３１の表面に固定された複数の木桟３２とを備えている。木桟３２は、木製の棒状部材である。複数の木桟３２は、互いに平行かつ、等間隔で配置されている。このように、木桟３２を互いに間隔をあけて配置することにより、内装パネル２の表面に凹凸が形成されている。つまり、木桟３２により凸部２１が形成され、隣り合う木桟３２間に凹部２２が形成されている。
【００２２】
このように、部屋９の天井面が複数の木桟３２により装飾されるため、部屋９の雰囲気を重厚な雰囲気にすることができる。なお、木桟３２を固定するための締結部材（図示せず）は、表面側から打ち込まれるものではなく、基材３１の裏面側から打ち込まれているものとする。あるいは、接着剤等によって木桟３２が基材３１に固定されてもよい。
【００２３】
木桟３２を天井仕上げ材に用いる際に、一般的には現場にて１本ずつ木桟３２が取付けられるが、本実施の形態では、予め工場等において、複数の木桟３２が基材３１の表面に取り付けられている。そのため、職人の技術に左右されることなく、複数の木桟３２を精度良く等間隔に配置することができる。また、現場での施工の手間および時間を削減することができる。
【００２４】
内装パネルの固定構造１は、隣り合う木桟３２間の凹部２２に配置される化粧材４を有している。化粧材４は、凹部２２の底部表面、すなわち隣り合う木桟３２間に露出する基材３１の表面に、両面テープまたは接着剤により貼り付けられている。化粧材４は、基材３１の板厚よりも十分に薄い薄板状またはシート状の部材により構成される。
【００２５】
ここで、現場での施工性向上の観点からすれば、全ての化粧材４を予め凹部２２の底部表面に貼り付けておき、内装パネル２の一要素としておくことが望ましい。しかしながら、その場合、内装パネル２を室内空間側から下地部材１０に固定する際に、化粧材４の上から締結部材５を打ち込むことになる。そうすると、締結部材５の頭部が室内空間に露出するため、天井面の意匠性が低下してしまう。
【００２６】
そこで、本実施の形態では、締結部材５の挿通位置に配置される化粧材４を内装パネル２から省いておき、その化粧材４については、締結部材５の打ち込み後に施工することとした。そのため、本実施の形態に係る内装パネル２に設けられた複数の凹部２２は、底部表面に化粧材４が予め貼り付けられた第１の凹部２２ａと、化粧材４が貼り付けられていない第２の凹部２２ｂとを含んでいる。これにより、第２の凹部２２ｂの底部表面に対しては、締結部材５の頭部を被覆した状態で、化粧材４を貼り付けることができる。
【００２７】
内装パネル２は、典型的には、平面視において複数個並べて配置される。各内装パネル２は、内装パネル２を複数個並べた状態（取り付け状態）において、規則的に凹凸が形成されるように構成されている。以下に、このような内装パネル２の具体的な構成例および内装パネル２の取り付け方法について、詳細に説明する。
【００２８】
（内装パネルの構成例について）
図３および図４を参照して、本実施の形態に係る内装パネル２の具体的な構成例について説明する。図３は、内装パネル２を模式的に示す平面図である。図４は、内装パネル２を模式的に示す断面図であり、図３のＩＶ−ＩＶ線に沿って切断された内装パネル２の断面が示されている。
【００２９】
内装パネル２は、上述のように、基材３１と、基材３１の表面に固定された複数の木桟３２とを備えている。なお、図３においては、理解を容易にするために、木桟３２の位置、つまり凸部２１の位置にハッチングを付している。
【００３０】
基材３１は、平面視において略矩形形状であり、長辺と短辺とを有する。基材３１は、たとえば合板により構成されている。図３に示されるように、木桟３２は、略矩形状断面を有し、基材３１の長辺方向に沿って延びている。図３では、基材３１の長辺方向が矢印Ａ１で示され、短辺方向が矢印Ａ２で示されている。
【００３１】
複数の木桟３２は、基材３１の短辺方向において互いに間隔をあけて配置されている。これにより、内装パネル２の表面には、木桟３２により構成される複数の凸部２１と、隣り合う木桟３２間に形成される複数の凹部２２とが、短辺方向において繰り返し設けられる。
【００３２】
本実施の形態において、凹部２２の底部表面は、基材３１の表面のうち、（化粧材４が貼り付ける前の状態において）隣り合う木桟３２間に露出する部分により構成され、凹部２２の両側面は、隣り合う２つの木桟３２の、互いに対面する側面により構成される。
【００３３】
上述のように、複数の木桟３２は等間隔で配置されている。そのため、複数の凹部２２の幅Ｄ１は互いに等しい。天井面の意匠性を向上させるためには、凹部２２の幅Ｄ１は凸部２１の幅以下であることが望ましい。
【００３４】
本実施の形態では、１つの内装パネル２が、複数（たとえば６個）の凸部２１と複数（たとえば５個）の凹部２２とを有している。複数の凹部２２のうちの少なくとも１つが「第２の凹部２２ｂ」であり、残りの凹部が「第１の凹部２２ａ」である。本実施の形態に係る内装パネル２には、４つの第１の凹部２２ａと１つの第２の凹部２２ｂとが設けられている。
【００３５】
第１の凹部２２ａの底部表面には、化粧材４が予め貼り付けられている。このように、出荷時において内装パネル２の一要素である化粧材４を、以下「化粧材４１」と記す。
【００３６】
化粧材４１の幅は、各凹部２２の幅Ｄ１と略同じである。そのため、第１の凹部２２ａの底部表面は露出することなく化粧材４１に被覆されている。これに対し、第２の凹部２２ｂにおいては、その底部表面（基材３１の表面）が露出している。
【００３７】
本実施の形態に係る内装パネル２は、取り付け状態において隣接する他の内装パネル２と、端部同士が上下に重なるように構成されている。具体的には、複数の木桟３２のうち紙面左端（短辺方向における一方側の端部）に位置する木桟３２（以下「第１の木桟３２ａ」という）は、基材３１から外側に食み出して位置している。第２の凹部２２ｂは、この第１の木桟３２ａに隣接する部分である。
【００３８】
一方、複数の木桟３２のうち紙面右端（短辺方向における他方側の端部）に位置する木桟３２（以下「第２の木桟３２ｂ」という）は、基材３１の端縁よりも内側に離れて位置している。つまり、基材３１は、第２の木桟３２ｂよりも外側に位置する端部分３１ａを有している。端部分３１ａは、その表面が、第２の木桟３２ｂと基材３１の端縁とにより区画される部分に相当する。
【００３９】
基材３１の端部分３１ａの幅Ｄ２は、複数の凹部２２の幅Ｄ１よりも大きい。基材３１の端部分３１ａの表面には、第２の木桟３２ｂに接するように、化粧材４が貼り付けられている。基材３１の端部分３１ａの表面に貼り付けられる化粧材４を、以下「化粧材４２」と記す。
【００４０】
基材３１の端部分３１ａに貼り付けられる化粧材４２の幅も、第１の凹部２２ａの底部表面に貼り付けられた化粧材４１と同じ幅（Ｄ１）である。第１の木桟３２ａの基材３１からの食み出し長さ（第１の木桟３２ａの外側端縁の位置と基材３１の端縁の位置との間隔）Ｄ３は、基材３１の端部分３１ａのうち化粧材４２よりも外側に突出した突出部３１ｂの幅（突出寸法）Ｄ４と略等しい。第１の木桟３２ａの食み出し長さＤ３は、たとえば、木桟３２の幅寸法の１／２〜１／３程度である。
【００４１】
なお、第２の凹部２２ｂの底部表面に後付けで貼り付けられる化粧材４を、以下「化粧材４３」と記す。化粧材４３の幅もまた、第１の凹部２２ａの底部表面に貼り付けられた化粧材４１と同じ幅（Ｄ１）である。つまり、取り付け状態において隣り合う木桟３２間に形成される凹部全てに、同じ幅の化粧材４が設けられる。
【００４２】
（内装パネルの取り付け方法について）
図５のフローチャートを参照しながら、内装パネル２の取り付け方法について説明する。
【００４３】
住宅の躯体部に下地部材１０が固定された状態において、はじめに、複数の内装パネル２を準備する（工程Ｐ１）。各内装パネル２は、図３および図４に示すように、（第１の木桟３２ａおよび第２の木桟３２ｂを含む）複数の木桟３２により構成される複数の凸部２１と、隣り合う木桟３２間に形成された、（第１の凹部２２ａおよび第２の凹部２２ｂを含む）複数の凹部２２とを有している。また、各内装パネル２の基材３１は、第２の木桟３２ｂよりも外側に位置する端部分３１ａを有している。
【００４４】
次に、下地部材１０に、複数の内装パネル２を締結部材５で固定する（工程Ｐ２）。具体的には、図６〜図８に示すように、複数の内装パネル２が１つずつ順番に固定される。
【００４５】
図６を参照して、１つの内装パネル２の裏面を下地部材１０に接触させておき、その状態で、複数の凹部２２のうちの第２の凹部２２ｂに、下方から締結部材５が打ち込まれる。また、基材３１の端部分３１ａにおける突出部３１ｂにも、締結部材５が打ち込まれる。つまり、内装パネル２の表面のうち基材３１が露出する部分に、締結部材５が打ち込まれる。
【００４６】
このようにして、１つの内装パネル２が下地部材１０に確りと固定される。なお、締結部材５による固定の前に、内装パネル２を接着剤等によって下地部材１０に仮止めしておいてもよい。図７に示されるように、１つの内装パネル２が固定された状態においては、全ての締結部材５の頭部５ａが露出している。
【００４７】
１つの内装パネル２が固定されると、隣接する他の内装パネル２も同様に、締結部材５により固定する。先に固定された内装パネル２とその後に固定される内装パネル２との区別を容易にするために、前者を「第１の内装パネル」、後者を「第２の内装パネル」と記す。
【００４８】
第２の内装パネル２は、第１の木桟３２ａのうち基材３１から食み出した部分が、先に固定した第１の内装パネル２における基材３１の突出部３１ｂに重なるように配置される。これにより、第１の内装パネル２における突出部３１ｂの表面と、第２の内装パネル２における第１の木桟３２ａの食み出し部分の裏面とが面接触状態となる。また、第２の内装パネル２における第１の木桟３２ａと、第１の内装パネル２の端部分３１ａに貼り付けられた化粧材４２とが、隣接するように配置される。
【００４９】
本実施の形態では、互いに隣接する第１および第２の内装パネル２がこのように配置されるため、図８に示されるように、第１の内装パネル２における基材３１の突出部３１ｂを貫通する締結部材５の頭部５ａが、第２の内装パネル２における第１の木桟３２ａの食み出し部分によって隠される。したがって、本実施の形態によれば、１つの内装パネル２に対して必要な後付けの化粧材４３を１枚だけにすることができるため、施工の手間および時間を効果的に削減することができる。
【００５０】
また、本実施の形態によれば、第２の内装パネル２の取り付けの際に、第２の内装パネル２の第１の木桟３２ａを、第１の内装パネル２の端部分３１ａに予め貼り付けられた化粧材４２の端縁に突き当てることにより、内装パネル２の位置決めを容易に行うこともできる。なお、図８から把握できるように、取り付け状態においては、基材３１の端部分３１ａのうち化粧材４２が貼り付けられた部分（突出部３１ｂを除く部分）は、第１の凹部２２ａと同様の凹部を形成する。
【００５１】
ここで、本実施の形態においては、基材３１の端部分３１ａのうちの突出部３１ｂの幅Ｄ４は、第１の木桟３２ａの食み出し長さＤ３よりも若干短いことが望ましい。この場合、図８に示すように、取り付け状態において、第１および第２の内装パネル２の基材３１間には、若干の隙間Ｓが設けられる。このようにすることで、基材３１に多少の製造誤差等があったとしても、第１の内装パネル２の右側端部に位置する化粧材４２と、第２の内装パネル２の左端に位置する第１の木桟３２ａとを、隙間なく隣接して配置することができる。なお、図８においては、隙間Ｓが誇張して記載されている。
【００５２】
この場合、第１の内装パネル２における基材３１の突出部３１ｂの表面を、第２の内装パネル２における第１の木桟３２ａの食み出し部分によってきっちりと隠すことができる。したがって、天井面の美観をより十分に向上させることができる。
【００５３】
複数の内装パネル２が下地部材１０に固定されると、図９に示すように、内装パネル２の第２の凹部２２ｂに、化粧材４３を貼り付ける（工程Ｐ３）。具体的には、化粧材４３が、第２の凹部２２ｂの底部表面に露出していた締結部材５の頭部５ａを被覆するように貼り付けられる。これにより、第２の凹部２２ｂの底部表面の全体が化粧材４３によって被覆されるとともに、締結部材５の頭部５ａが化粧材４３によって隠される。
【００５４】
なお、化粧材４３の貼り付け作業をより簡易にするために、第２の凹部２２ｂの底部表面には、予め両面テープが貼り付けられていてもよい。また、本実施の形態のように、第１の内装パネル２の基材３１の突出部３１ｂの上に第２の内装パネル２の第１の木桟３１ａが重ねられる場合、基材３１の突出部３１ｂにも締結部材５を打ち込むことで安定性を向上できるものの、基材３１の突出部３１ｂに挿通される締結部材５は省略してもよい。
【００５５】
上記の工程を経ることにより、複数の内装パネル２の取り付けが完了する。内装パネル２の取り付けが完了した状態が、図１および図２に示される。
【００５６】
以上説明したように、本実施の形態によれば、職人の技術に左右されることなく内装パネル２の施工、および、後付けの化粧材４（４３）の貼り付けを行うことができ、現場での施工性を向上させることができる。また、締結部材５の頭部５ａが部屋９の室内空間から見えないため、天井面の美観を向上させることができる。
【００５７】
（変形例）
本実施の形態では、互いに隣接する第１および第２の内装パネル２それぞれの端部が重なりをもって配置されることとしたが、限定的ではない。たとえば、図１０に示される内装パネル２Ａのように、全ての木桟３２が基材３１から食み出すことなく配置されていてもよい。内装パネル２Ａにおいては、基材３１の紙面左側に位置する端部分３１ｃおよび紙面右側に位置する端部分３１ｄのそれぞれに、締結部材５が挿通される。この場合、互いに隣接する第１および第２の内装パネル２Ａそれぞれの端部分３１ｃ，３１ｄが突き当たり当接され、これらの端部分３１ｃ，３１ｄに跨がるように、後付けの化粧材４３が貼り付けられる。
【００５８】
また、本実施の形態では、内装パネル２には、一方方向に沿って延びる複数の木桟３２が設けられることとして説明したが、限定的ではない。たとえば、複数の木桟３２が互いに交差（直交）するように、格子状に配置されていてもよい。
【００５９】
また、内装パネル２において凸部２１を構成する棒状部材が、木桟３２であることとしたが限定的ではない。つまり、棒状部材の材料は木材以外のものであってもよい。また、棒状部材の断面形状は矩形形状に限定されず、たとえば半円状であってもよい。
【００６０】
また、内装パネル２の凸部は、棒状部材以外の部材により構成されてもよい。あるいは、内装パネル２の凹部は、一枚の板状部材を部分的にくり抜いて形成されてもよい。このような場合、凸部は１つだけであってもよい。
【００６１】
また、本実施の形態では、内装パネル２が部屋９の天井９１に取り付けられる例について説明したが、部屋９の壁９２（図１）に取り付けられてもよい。つまり、内装パネル２は、壁パネルであってもよい。なお、部屋９は、リビングなどの居室であってもよいし、廊下などの非居室であってもよい。
【００６２】
また、本実施の形態では、内装パネル２が住宅の天井または壁用のパネルであることとしたが、住宅以外の建物（たとえばホテルなど）の天井または壁用のパネルであってもよい。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６４】
１  内装パネルの固定構造、２，２Ａ  内装パネル、４，４１，４２，４３  化粧材、５  締結部材、９  部屋、１０  下地部材、２１  凸部、２２  凹部、２２ａ  第１の凹部、２２ｂ  第２の凹部、３１  基材、３１ａ，３１ｃ，３１ｄ  端部分、３１ｂ  突出部、３２  木桟、３２ａ  第１の木桟、３２ｂ  第２の木桟、９１  天井、９２  壁。
【図１】
2019065465.tif 000003
【図２】
2019065465.tif 000004
【図３】
2019065465.tif 000005
【図４】
2019065465.tif 000006
【図５】
2019065465.tif 000007
【図６】
2019065465.tif 000008
【図７】
2019065465.tif 000009
【図８】
2019065465.tif 000010
【図９】
2019065465.tif 000011
【図１０】
2019065465.tif 000012